(57)【特許請求の範囲】
【請求項１】
下部を開口した長尺中空形状の上部本体１と、上部を開口した長尺中空形状の下部本体２と、上部と下部が開口した筒状の中間部本体３を備え、この中間部本体３の上部寄りが前記上部本体１に摺動自在に嵌合し、かつ下部寄りが前記下部本体２に摺動自在に嵌合している長さ調整自在な本体４とし、
前記本体４の上部寄りに上部通気口１１、下部寄りに下部通気口２６、上下中間に排気口１２をそれぞれ形成し、この排気口１２に排気ダクト１３を接続し、
前記本体４内における排気口１２と下部通気口２６との間に送風機１４を設け、この送風機１４を駆動することで前記下部通気口２６から室内の空気を吸い込み、その空気の一部を排気口１２で室外に排出すると共に、残りの空気を前記上部通気口１１から室内に吐出する構成とし、
前記本体４内に、前記排気口１２から排出される換気風量と前記上部通気口１１から室内に吐出する循環風量の比率を変更する切り換えダンパー５２を設けたことを特徴とするサーキュレータ。
【請求項２】
前記本体４における下部通気口２６と送風機１４との間の上下中間部に、その送風機１４を駆動することで室内の空気を吸い込む中間部通気口６０を形成し、この中間部通気口６０に臭気フィルター２８を取付けた請求項１記載のサーキュレータ。
【発明の詳細な説明】
【０００１】
【発明の属する技術分野】
本発明は、エアコンなどの冷暖房機による室内冷暖房の効率を向上するために室内の空気を循環して室内の温度分布を均一化させるサーキュレータに関する。
【０００２】
【従来の技術】
冷暖房機により室内を冷暖房すると天井付近に暖かい空気が溜まり、床面付近に冷たい空気が溜まるので、冷暖房機による室内冷暖房の効率が低下する。
【０００３】
このことを解消するために、室内の天井付近の暖かい空気と床面付近の冷たい空気を循環して室内の温度分布を均一化させて冷暖房機による室内冷暖房の効率を向上させるサーキュレータが知られている。
【０００４】
例えば、実開昭５７−１３９１２６号公報や、実開昭５６−１４８５３０号公報に開示されたサーキュレータが知られている。このサーキュレータは長尺な箱状又は筒状の本体内部に送風機を設け、その本体の上部と下部に通気口を形成し、送風機を駆動することで天井付近の空気と床面付近の空気を本体内部を通して循環させる構造である。
【０００５】
このサーキュレータによれば、天井付近の暖かい空気と床面付近の冷たい空気を混ぜ合わせることにより室内の温度を均一化して冷暖房機の室内冷暖房効率を向上できる。
【０００６】
【発明が解決しようとする課題】
冷暖房機により室内を冷暖房する際に室内を換気する事がある。特に、石油、ガス等を燃焼させる暖房機の場合には燃焼ガスが室内に溜まるので、一定時間毎に窓を開けて室内を換気している。また、喫煙や発汗等で室内の空気が汚れた時にも室内を換気している。
【０００７】
前述のように、窓を開けて室内を換気するのは大変面倒であるので換気扇を設置して自動的に室内を換気することが考えられるが、そのためには冷暖房機、サーキュレータの外に換気扇を設置しなければならず、冷暖房設備が高価となる。
【０００８】
また、換気扇を設置すると室内から換気扇が見えて見栄えが悪くなる。特に、和室などの場合には室内が和風の感じであり、換気扇が見えると和風の感じが薄れて居住者に違和感を与えるので好ましくない。
【０００９】
そこで、本発明は前述の課題を解決できるようにしたサーキュレータを提供することを目的とする。
【００１０】
【課題を解決するための手段】
第１の発明は、下部を開口した長尺中空形状の上部本体１と、上部を開口した長尺中空形状の下部本体２と、上部と下部が開口した筒状の中間部本体３を備え、この中間部本体３の上部寄りが前記上部本体１に摺動自在に嵌合し、かつ下部寄りが前記下部本体２に摺動自在に嵌合している長さ調整自在な本体４とし、
前記本体４の上部寄りに上部通気口１１、下部寄りに下部通気口２６、上下中間に排気口１２をそれぞれ形成し、この排気口１２に排気ダクト１３を接続し、
前記本体４内における排気口１２と下部通気口２６との間に送風機１４を設け、この送風機１４を駆動することで前記下部通気口２６から室内の空気を吸い込み、その空気の一部を排気口１２で室外に排出すると共に、残りの空気を前記上部通気口１１から室内に吐出する構成とし、
前記本体４内に、前記排気口１２から排出される換気風量と前記上部通気口１１から室内に吐出する循環風量の比率を変更する切り換えダンパー５２を設けたことを特徴とするサーキュレータである。
【００１３】
第２の発明は、第１の発明における前記本体４における下部通気口２６と送風機１４との間の上下中間部に、その送風機１４を駆動することで室内の空気を吸い込む中間部通気口６０を形成し、この中間部通気口６０に臭気フィルター２８を取付けたサーキュレータである。
【００１４】
【作用】
第１の発明によれば、送風機１４を駆動することで下部通気口２６から室内の空気を吸い込み、その空気の一部を排気口１２で室外に排出すると共に、残りの空気を上部通気口１１から室内に吐出する。
【００１５】
これによって、室内の床付近の空気と天井付近の空気を本体４内部を通して循環できるし、室内の空気を室外に排出して室内を換気できる。
【００１６】
また、切り換えダンパー５２によって換気風量と循環風量の比率を変更できるから、通常時には換気風量を少なく循環風量を多くして冷暖房効率を向上させ、喫煙時等には換気風量を多く循環風量を少なくして室内を十分に換気できる。
【００１８】
第２の発明によれば、室内で喫煙した時の煙りが中間部通気口６０から集中的に吸い込みされるから、その煙草の匂いを脱臭フィルター２８で効率良く脱臭し、煙草の匂いの無い空気を室内に吐出することができる。
【００１９】
【発明の実施の形態】
図１と図２と図３に示すように、上部本体１と下部本体２を中間部本体３で伸縮可能に連結して本体４としてある。前記上部本体１は上面板５と前面板６と背面板７と左右の側面板８，８で矩形断面で下部を開口した長尺中空形状としてある。
【００２０】
前記前面板６の上部には開口部９が形成され、この開口部９に複数のフィン１０が上下方向に間隔を置いて取付けてある。これによって、上部通気口１１を形成してある。
【００２１】
前記背面板７の上部寄りには排気口１２が形成してある。この排気口１２の周縁に沿って排気ダクト１３が固着してある。
【００２２】
上部本体１の上下中間内部に送風機１４が取付けてある。この送風機１４はケーシング１５とファン１６と電動モータ１７を備えたシロッコファン式の送風機である。そのケーシング１５がプレート１８に固着してあり、プレート１８の孔１９より空気を吐出する。
【００２３】
前記下部本体２は前面板２０、背面板２１、左右の側面板２２，２２、下面板２３で矩形断面で上部が開口した長尺中空形状であり、前記上部本体１の同一断面形状で、同一大きさとしてある。
【００２４】
前記前面板２０の下部寄りはほぼく字状に折曲して斜め下向き部２０ａを有し、その斜め下向き部２０ａに開口部２４を形成して下部通気口２６としてある。
【００２５】
前記下部通気口２６には除塵用フィルター２７が取付けてある。なお、図２に仮想線で示すように除塵用フィルター２７に脱臭フィルター２８を組み合せても良い。
【００２６】
前記中間部本体３は前面板３０と背面板３１と左右の側面板３２，３２によって矩形断面で上部と下部が開口した筒状である。この中間部本体３の上部寄りが上部本体１内部に摺動自在に嵌合し、中間部本体３の下部寄りが下部本体２内部に摺動自在に嵌合している。
【００２７】
これによって、本体４は長さ調整自在となっている。
【００２８】
図２と図３に示すように、本体４は壁３３に沿って配設され、上面板５が天井３４に接し、下面板２３が床３５に接している。排気ダクト１３が壁３３の穴３６より室外に突出し、ウエザカバー３７で覆われている。
【００２９】
このようであるから、送風機１４を駆動すると矢印ａで示すように床３５付近の空気が下部通気口２６から吸込みされ、その空気の一部が排気口１２、排気ダクト１３から室外に排出される。残りの空気が上部通気口１１から天井３４付近に矢印ｂで示すように吐出される。これによって、床３５付近の空気と天井３４付近の空気が本体４内部を通って循環すると共に、室内を換気できる。
【００３０】
また、床３５に溜まっていたり、歩行その他により床３５から舞上がった埃は防塵フィルター２７で捕集されるから、その埃が上部通気口１１から再び室内に吐出することがなく衛生的である。
【００３１】
なお、脱臭フィルター２８を取付けた場合には、吸込んだ空気の臭気が脱臭フィルター２８で脱臭されるので、匂いのない空気を上部通気口１１から室内に吐出できる。
【００３２】
また、下部通気口２６は斜め下向きとなるので、床３５付近の空気を効率良く吸い込みできる。また、本体４の長さを調整することで上面板５を天井３４に押しつけ、下面板２３を床３５に押しつけることができるので、本体４を安定して設置できる。
【００３３】
図４と図５と図６に示すように、上部本体１の上部寄り内部に横仕切り板４０とＬ字状の縦仕切板４１を取付けて上部通気口１１に連通した第１風路４２と排気口１２に連通した第２風路４３を形成してある。
【００３４】
前記横仕切板４０には第１風路４２を送風機１４の吐出側の室４４に連通する第１孔４５と、第２風路４３を送風機１４の吐出側の室４４に連通する第２孔４６が形成してある。前記室４４と第１孔４５と第１風路４２で循環用風路を形成し、前記室４４と第２孔４６と第２風路４３で換気用風路を形成している。
【００３５】
前記横仕切板４０の下面にはプレート４７がガイド４８で摺動自在に設けてある。このプレート４７にはＬ字状のアーム４９が固着してあり、そのアーム４９は前面板６の長孔５０より突出し、摘み５１が取付けてある。これによって切り換えダンパー５２を構成している。
【００３６】
プレート４７を図６に示す中間位置とすれば図７（ａ）に示すように第１孔と第２孔４６の開口面積が同一となり、第１風路４２と第２風路４３とに同一風量が流れる。
摘み５１を持ってプレート４７を図６で一方（左側）に移動すれば第１孔４５の開口面積が大きくなると共に、第２孔４６の開口面積が小さくなる。プレート４７を一方に最大ストローク移動すると図７（ｂ）に示すように第１孔４５の開口面積が最大で第２孔４６が閉じる。
【００３７】
摘み５１を持ってプレート４７を図６で他方（右側）に移動すれば第２孔４６の開口面積が大きくなると共に、第１孔４５の開口面積が小さくなる。プレート４７を他方に最大ストローク移動すると図７（ｃ）に示すように第２孔４６の開口面積が最大で、第１孔４５が閉じる。
【００３８】
このようであるから、切り換えダンパー５２によって循環風量と換気風量の比率を変更できるし、循環のみ又は換気のみとすることができる。
【００３９】
したがって、室内の換気風量を任意に設定できる。
例えば居住者１人当たりの必要換気風量は居住者めの活動状態によっても変化するが、２０〜３０ｍ3 ／ｈが適当とされている。これを通常の使用状態とし、室内での喫煙や発汗などで室内の空気が汚染された時などには第１孔４５を閉じて第２孔４６を閉じて換気を１００％（この時室内循環は０％）にすることができる。また、喫煙時等には換気風量を多くできる。
【００４０】
前記プレート４７を電動モータと送りネジとナットを利用して自動的に移動しても良い。
【００４１】
次に本発明の第２の実施の形態を説明する。
図８と図９に示すように、上部本体１の前面板６における送風機１４の下方位置に中間部通気口６０を形成する。この中間部通気口６０に脱臭フィルター２８を取付ける。
【００４２】
このようにすれば、送風機１４を駆動することで室内の上下方向中間部の空気が中間部通気口６０から吸い込みされる。その吸い込みされた空気中の臭気は臭気フィルター２８で脱臭されるから、匂いのない空気を室内に吐出することができる。
【００４３】
したがって、臭気の代表に挙げられる煙草の匂いを効率良く脱臭することができる。つまり、居間などで煙草を吸う時、通常床、もしくは椅子などに座った状態で喫煙する。この時、喫煙者の持っている煙草の位置と煙をはく口の位置はほぼ同じ高さで、さらに煙草の煙は上昇するので中間部通気口６０を室内の高さ方向のほぼ中間位置とすることで煙草の匂いを効率良く脱臭できる。
【００４４】
【発明の効果】
第１の発明によれば、送風機１４を駆動することで下部通気口２６から室内の空気を吸い込み、その空気の一部を排気口１２で室外に排出すると共に、残りの空気を上部通気口１１から室内に吐出する。
【００４５】
これによって、室内の床付近の空気と天井付近の空気を本体４内部を通して循環できるし、室内の空気を室外に排出して室内を換気できる。
【００４６】
したがって、サーキュレータを設置するだけで冷暖房機による室内の冷暖房効率を向上できるし、室内を換気できるから、面倒な換気操作が不要であるし、冷暖房設備が安価となり、しかも室内の見栄えが良いものとなる。
【００４７】
また、切り換えダンパー５２によって換気風量と循環風量の比率を変更できるから、通常時には換気風量を少なく循環風量を多くして冷暖房効率を向上させ、喫煙時等には換気風量を多く循環風量を少なくして室内を十分に換気できる。
【００４９】
第２の発明によれば、室内で喫煙した時の煙りが中間部通気口６０から集中的に吸い込みされるから、その煙草の匂いを脱臭フィルター２８で効率良く脱臭し、煙草の匂いの無い空気を室内に吐出することができる。
【図面の簡単な説明】
【図１】  本発明の第１の実施の形態を示すサーキュレータの分解斜視図である。
【図２】  サーキュレータの取付け状態を示す縦断面図である。
【図３】  サーキュレータの取付け状態を示す正面図である。
【図４】  本発明のサーキュレータの取付け状態の縦断面図である。
【図５】  サーキュレータの取付け状態を示す正面図である。
【図６】  切り換えダンパー部分の一部破断拡大正面図である。
【図７】  切り換えダンパーの動作説明図である。
【図８】  本発明の第２の実施の形態を示すサーキュレータの取付け状態の縦断面図である。
【図９】  サーキュレータの取付け状態を示す正面図である。
【符号の説明】
１…上部本体、２…下部本体、３…中間部本体、４…本体、１１…上部通気口、１２…排気口、１３…排気ダクト、１４…送風機、２６…下部通気口、２７…除塵フィルター、２８…脱臭フィルター、５２…切り換えダンパー、６０…中間部通気口。
【図１】
0003799725.tif 000002
【図２】
0003799725.tif 000003
【図３】
0003799725.tif 000004
【図４】
0003799725.tif 000005
【図５】
0003799725.tif 000006
【図６】
0003799725.tif 000007
【図７】
0003799725.tif 000008
【図８】
0003799725.tif 000009
【図９】
0003799725.tif 000010